(57)【特許請求の範囲】
【請求項１】
遊技機の所定箇所に設けられる機構ベースに対して取り付けられる遊技機用可動演出装置であって、
遊技機前面より視認される装飾体と前記機構ベースに組み付けられ前記装飾体より後方に配置される後方取付部材とが連結軸を介して一体に連結され、当該後方取付部材と装飾体との間に駆動源から駆動伝達されて前記連結軸を中心に回転する回転体と、
前記回転体に移動可能に組み付けられ、前記駆動源の回転方向に応じて前記装飾体の後方に収納された収納位置と当該装飾体の外周より外側へ移動して前記装飾体の意匠面を拡大表示する作動位置との間を移動する可動体と、を具備し、
前記回転体は、前記駆動源により前記連結軸を中心に正逆回転駆動される伝達歯車と、該伝達歯車と一体に組み付けられ、前記可動体を前記収納位置と作動位置との間を変位させる曲線ガイドを有する第１の回転ベースと、前記可動体を前記収納位置と作動位置との間を直線移動させる直線ガイドを有する第２の回転ベースと備え、
前記可動体が収納位置にある場合に前記駆動源からの駆動伝達により所定の方向へ第１の回転ベースのみが回転すると、前記可動体が収納位置から作動位置へ曲線ガイドと直線ガイドとが交差する交差点でガイドされながら移動し、更に前記第１の回転ベースが回転すると前記可動体が作動位置を維持したまま前記連結軸を中心に前記第２の回転ベースが一体となって回転することを特徴とする遊技機用可動演出装置。
【請求項２】
第２の回転ベースには、第１の回転ベースに所定の方向と反対方向の駆動伝達がされた際、当該第２の回転ベースの反対方向への回転を規制する回転規制部が設けられている請求項１記載の遊技機用可動演出装置。
【請求項３】
前記第１の回転ベースが所定方向に回転し、前記可動体が収納位置と作動位置との間を移動する間は、前記第２の回転ベースが連れ回りするのを規制するロック機構が設けられている請求項１又は２記載の遊技機用可動演出装置。
【請求項４】
前記第１の回転ベースと第２の回転ベースは連結軸方向に間隔を設けて配置され、これらの間に前記可動体が前後方向に重なるように複数設けられている請求項１乃至３いずれか１項記載の遊技機用可動演出装置。
【請求項５】
請求項１乃至４のいずれか１項記載の遊技機用可動演出装置が遊技機前面側において遊技状態に応じて変位可能に設けられている遊技機。
【発明の詳細な説明】
【技術分野】
【０００１】
本発明は、遊技機用可動演出装置及びそれを備えた遊技機に関する。
【背景技術】
【０００２】
パチンコ機などの遊技機には、外枠に対して開閉可能に設けられた内枠に遊技盤が着脱可能に組み付けられている。内枠には前面枠が開閉可能に設けられている。
【０００３】
遊技盤の盤面上に形成される遊技領域においては、遊技領域の拡大と共に図柄表示装置（液晶表示装置）の表示画面も拡大している。このため、遊技領域配置される可動体を含む演出装置の設置面積が確保し難くなっている。
そこで、図柄表示装置の周囲に設けられる役物や遊技領域に設けられる可動体を含む演出装置をコンパクトに設け、遊技性に合わせて意匠面が拡大するように設けられた遊技機が提案されている。
【０００４】
具体的には、放射状に分割された可動板の後方に意匠面を備えた装飾体を設け、アクチュエータの駆動により意匠面を被覆する第１位置と意匠面の一部を露出する第２位置との間で可動板を放射方向に移動させることで、演出装置の小型化を図った遊技機が提案されている（特許文献１参照）。
【０００５】
また、図柄表示装置の前方にリング状の第１，第２回転体を同軸状に配置し、第１，第２回転体の間に複数の可動片が第１回転体に回動可能に軸支されかつ第２回転体に係合して設けられ、第１，第２回転体を速度差を設けて回転駆動することにより可動片を径方向に出没運動を繰り返して、図柄表示装置の表示面積を変化させるようにした遊技機も提案されている（特許文献２参照）。
【先行技術文献】
【特許文献】
【０００６】
【特許文献１】特開２００７−２２２４３６号公報
【特許文献２】特開２００８−２８４１１２号公報
【発明の開示】
【発明が解決しようとする課題】
【０００７】
しかしながら、上述した特許文献１の演出装置は、図柄表示装置の周囲に組み込まれる場合には、コンパクトに設置できるが、意匠面が隠れるため、興趣に薄れる。また、遊技性と連動して可動板が放射状に移動するため、意匠面による演出効果が発揮され難い。また、可動板は放射状に移動して意匠面が表示されるため、演出装置の周囲には障害物となる装飾部品を設けることができない。
また、特許文献２の演出装置においては、図柄表示装置の表示面積を変化させることで演出効果を狙っているが、表示部の面積が広がるわけではなく、可動片が第１，第２回転体から図柄表示装置の面積を狭めるように出没することにより意匠面の変化は限定的なものとなる。
【０００８】
本発明の目的は、装飾体の意匠面の表示面積を減らすことなくコンパクトに設置でき、しかも可動体が作動すると意匠面の表示面積を拡大表示して演出効果を向上させた遊技機用可動演出装置及びそれを備えた遊技機を提供することにある。
【課題を解決するための手段】
【０００９】
本発明は上記目的を達成するため、次の構成を備えることを特徴とする。
遊技機の所定箇所に設けられる機構ベースに対して取り付けられる遊技機用可動演出装置であって、遊技機前面より視認される装飾体と前記機構ベースに組み付けられ前記装飾体より後方に配置される後方取付部材とが連結軸を介して一体に連結され、当該後方取付部材と装飾体との間に駆動源から駆動伝達されて前記連結軸を中心に回転する回転体と、前記回転体に移動可能に組み付けられ、前記駆動源の回転方向に応じて前記装飾体の後方に収納された収納位置と当該装飾体の外周より外側へ移動して前記装飾体の意匠面を拡大表示する作動位置との間を移動する可動体と、を具備し、前記回転体は、前記駆動源により前記連結軸を中心に正逆回転駆動される伝達歯車と、該伝達歯車と一体に組み付けられ、前記可動体を前記収納位置と作動位置との間を変位させる曲線ガイドを有する第１の回転ベースと、前記可動体を前記収納位置と作動位置との間を直線移動させる直線ガイドを有する第２の回転ベースと備え、前記可動体が収納位置にある場合に前記駆動源からの駆動伝達により所定の方向へ第１の回転ベースのみが回転すると、前記可動体が収納位置から作動位置へ曲線ガイドと直線ガイドとが交差する交差点でガイドされながら移動し、更に第１の回転ベースが回転すると前記可動体が作動位置を維持したまま前記連結軸を中心に前記第２の回転ベースが一体となって回転することを特徴とする。
【００１０】
第２の回転ベースには、第１の回転ベースに所定の方向と反対方向の駆動伝達がされた際、第２の回転ベースの反対方向への回転を規制する回転規制部が設けられていることを特徴とする。
【００１１】
前記第１の回転ベースが所定方向に回転し、前記可動体が収納位置と作動位置との間を移動する間は、前記第２の回転ベースが連れ回りするのを規制するロック機構が設けられていることを特徴とする。
【００１２】
前記第１の回転ベースと第２の回転ベースは連結軸方向に間隔を設けて配置され、これらの間に前記可動体が前後方向に重なるように複数設けられていることを特徴とする。
【００１３】
また、遊技機においては、前述した遊技機用可動演出装置が遊技機前面側において遊技状態に応じて変位可能に設けられていることを特徴とする。
【発明の効果】
【００１４】
上述した遊技機用可動演出装置を用いれば、装飾体の意匠面の表示面積を減らすことなく遊技機用可動演出装置をコンパクトに設置でき、しかも第１の回転ベースが、所定方向へ回転すると、当該可動体は収納位置から作動位置へ移動し、更に第１の回転ベースが回転すると可動体が作動位置を維持したまま第２の回転ベースも一体となって回転するので、装飾体の意匠面の表示面積を拡大表示したまま動きを伴った意外性のある演出を行うことができる。
【００１５】
また、駆動源により連結軸を中心に伝達歯車を正逆回転駆動することにより、第１の回転ベースの曲線ガイドに沿って可動体を収納位置と可動位置との間を移動させるので、可動体の移動を複雑な制御をともなわずに実現できる。
【００１６】
また、第２の回転ベースには、第１の回転ベースに所定の方向と反対方向の駆動伝達がされた際、第２の回転ベースの反対方向への回転を規制する回転規制部が設けられている。よって、可動体が作動位置方向から収納位置方向へ移動する間は第１の回転ベースのみが回転して第２の回転ベースが回転規制されるので、可動体をスムーズに移動させることができ、第１の回転ベースと可動体、第２の回転ベースの動作切り替えが確実に素早く行なえる。
【００１７】
第１の回転ベースが所定方向に回転し、可動体が収納位置方向から作動位置方向へ移動する間は、第２の回転ベースが連れ回りするのを規制するロック機構が設けられていると、可動体をスムーズに移動させることができ、第１の回転ベースと可動体、第２の回転ベースの回転動作の切り替えが確実に素早く行なえる。第１の回転ベースが所定位置からいずれか一方へ所定量回転させることで可動体を収納位置と作動位置との間を移動させることができる。
即ち、可動体が収納位置と作動位置との間を移動している間は、第２の回転ベースは回転規制部及びロック機構により回転が規制されているため連れ回りしない。よって、可動体が収納位置と作動位置との間をスムーズに移動することができる。また、可動演出装置としては、装飾体と可動体の相対位置は変わらずに当該可動体の出し入れを行って装飾体の表示面積の拡大縮小が行なえる。尚、可動演出装置においては、どの位置でも可動体の移動ができるわけでなく駆動源（モータ）の電気的制御に依存し、予め第２の回転体が初期位置（ロック機構にロックされている位置）で位置決めされている必要がある。
【００１８】
第１の回転ベースと第２の回転ベースは連結軸方向に間隔を設けて配置され、これらの間に可動体が前後方向に重なるように複数設けられていると、可動体が径方向に同心円状に移動する動作が可能となるため、装飾面積を大幅に拡大縮小させて変化に富んだ演出を行うことができる。
【００１９】
上述した遊技機用可動演出装置を備えた遊技機においては、装飾体の意匠面の表示面積はかわらずに、可動体が作動位置へ変位すると装飾体の意匠面の表示面積を拡大表示しさらに回転体が回転すると作動位置を維持したまま連結軸を中心に当該回転体と一体となって回転するので、遊技状態に応じて意匠面を拡大し回転体と可動体が一体となって回転する意外性のある演出を行って、限られた遊技領域内に設置して遊技者の興趣が尽きない多彩な演出を行なうことができる。
【図面の簡単な説明】
【００２０】
【図１】遊技機の正面図である。
【図２】回転体が起動する前の可動演出装置の正面図及び斜視図である。
【図３】図２の可動演出装置の右側面図である。
【図４】可動演出装置の分解斜視図である。
【図５】回転体と可動体の分解斜視図である。
【図６】図２（ｂ）の矢印Ａ−Ａ断面図及び矢印Ｂ−Ｂ断面図である。
【図７】図３の可動演出装置の矢印Ｃ−Ｃ断面図である。
【図８】図３の可動演出装置の矢印Ｄ−Ｄ断面図である。
【図９】回転規制部材の後面図及び矢印Ｅ−Ｅ断面図である。
【図１０】回転体が作動した後の可動演出装置の正面図及び斜視図である。
【図１１】図１０の可動演出装置の右側面図である。
【図１２】図１０（ｂ）の矢印Ｆ−Ｆ断面図及び矢印Ｇ−Ｇ断面図である。
【図１３】図１１の矢印Ｈ−Ｈ断面図である。
【図１４】図１１の矢印Ｉ−Ｉ断面図である。
【図１５】回転規制部材の後面図及び矢印Ｊ−Ｊ断面図である。
【図１６】可動演出装置の電気的配線接続構造を示す軸方向断面図である。
【図１７】他例に係る起動前の回転体の正面図及び斜視図である。
【図１８】他例に係る作動後の回転体の正面図及び斜視図である。
【図１９】他例に係る回転体の正面視分解斜視図である。
【図２０】他例に係る回転体の後面視分解斜視図である。
【図２１】他例に係る回転体の収納位置と作動位置との移動状態を示す部分断面説明図である。
【発明を実施するための形態】
【００２１】
以下、本発明の実施形態について図面を参照しながら具体的に説明する。
図１を参照して本実施形態に係る遊技機の概略構成について説明する。本実施形態では遊技機の一例としてパチンコ機を例示して説明するものとする。パチンコ機１は、外枠２と遊技盤３が設けられた内枠（図示せず）と、該内枠を覆う前面枠５を備えている。図示しない内枠は、ヒンジ４ａ，４ｂにより外枠２に対して開閉可能に取り付けられている。また、前面枠５は内枠に対して開閉可能に取り付けられている（ヒンジ部図示せず）。前面枠５の中央部には遊技者が遊技盤３を視認できる窓部（ガラス枠）６が設けられている。該窓部６の周囲にはスピーカー７や装飾部（図示せず）などが設けられる。
【００２２】
また、窓部６の下方には、貸球や賞球を貯留し図示しない球発射装置へ球を誘導する球受け皿８が設けられている。球受け皿８の前面には、球抜きまた、球受け皿８の右側には図示しない球発射装置が遊技球を遊技領域に向けて打ち出すための発射ハンドル９が設けられている。
【００２３】
遊技盤３の盤面上に形成される遊技領域内には、中央部に図柄表示装置（液晶表示装置）１０を備えたセンター役物１１が設けられ、その周囲には図示しない釘、スルーチャッカー１２、風車１３、電動チューリップ１４ａ、アタッカー１４ｂ、遊技盤レール１５、サイドランプ１６などの盤面部品やアウト球（電動チューリップ１４ａ，アタッカー１４ｂに入賞しなかった遊技球）を回収するアウト口（図示せず）などが設けられている。センター役物１１には、遊技状態に応じて可動体が移動する可動演出装置１８（遊技機用可動演出装置）が設けられている。
【００２４】
可動演出装置１８の概略構成について図２乃至図１６を参照して説明する。
可動演出装置１８は、遊技領域の所定箇所に組み付けられる機構ベース（例えば可動アーム１７；図１仮想線参照）に組み付けられる。図２（ａ）（ｂ）に示すように、遊技機前面より視認される装飾体２０と後方取付部材２１とが連結軸２２（固定軸）を介して一体に連結されている。装飾体２０と後方取付部材２１は、連結軸２２に対してＥリング１９により抜け止めされて組み付けられている（図６（ｂ）参照）。後方取付部材２１の後面側には駆動源であるモータ２３が組み付けられている。装飾体２０と後方取付部材２１との間には、モータ２３から駆動伝達されて連結軸２２を中心に回転する回転体２４を備えている。
【００２５】
図２（ｂ），図３において、回転体２４には、モータ２３の回転方向に応じて移動する可動体２５が設けられている。可動体２５は装飾体２０の後方に収納された収納位置と当該装飾体２０の外周より外側へ移動して意匠面を拡大表示する作動位置との間を移動可能に組み付けられている。以下、具体的に説明する。
【００２６】
図４において、後方取付部材２１にはモータ２３がビス２３ｃにより一体に組み付けられる。モータ軸２３ａにはモータ歯車２３ｂが組み付けられ、連結軸２２と同心状に回転可能に組み付けられた伝達歯車２６と噛み合っている。図６（ａ）において、伝達歯車２６は、回転ベース２７の筒状部２７ａとビス２８により一体に組み付けられている。回転ベース２７は、連結軸２２と同心状に回転可能に組み付けられ、伝達歯車２７と一体となって回転する。また、回転ベース２７の筒状部２７ａに連なる円板部２７ｂの前面側及び後面側には、曲線ガイド２９ａが中心部から放射状に形成された第１の回転ベース２９（図７参照）がビス３０により一体に組み付けられている（図５参照）。
【００２７】
図６（ｂ）において、隣り合う直線ガイド３１ａが中心軸付近で互いに交差するように形成された第２の回転ベース３１（図７参照）が連結軸２２と同心状に２箇所に組み付けられている。また、伝達歯車２６の後面側には、回転規制部材３２が第２の回転ベース３１とともに連結軸２２と同心状に組み付けられている。回転規制部材３２の軸部３２ｃと前方第２の回転ベース３１の軸部３１ｃと噛み合うことで連結軸２２を中心に回転規制部材３２と一体となって回転可能に組み付けられている（図５参照）。
【００２８】
図４において、回転規制部材３２の後面にはラチェット歯３２ａが形成されている。また、ラチェット歯３２ａと対向する後面にはラチェット歯３３ａが形成されたラチェット歯車３３がコイルばね３４を介して後方取付部材２１の前面側に設けられる。図６（ａ）に示すように、ラチェット歯車３３は、コイルばね３４に付勢されてラチェット歯３３ａとラチェット歯３２ａとが噛み合うように付勢されている。回転規制部材３２は、第２の回転ベース３１の一方向のみの回転を許容するように設けられている。
【００２９】
図８において、連結軸２２の後方に設けられた後方第２の回転ベース３１（図５参照）には、軸孔３１ｂ近傍において径方向に孔内へ突出した係止ピン３５（係止部）が設けられている。係止ピン３５の先端部は、回転ベース２７の筒状部２７に設けられた切欠き部２７ｃに進入している。回転ベース２７が回転規制部材３２により回転を許容される向きに回転すると、係止ピン３５が切欠き部２７のいずれか一方の端部に係止して回転ベース２７と共に第２の回転ベース３１及び回転規制部材３２も一体となって従動回転するようになっている。
【００３０】
また、図５において、可動体２５は、前方第２の回転ベース３１と前方第１の回転ベース２９との間に４箇所に移動可能に設けられ、大径フィン２５ａ及び小径フィン２５ｂが組みとなった可動体２５が後方第２の回転ベース３１と導通板３６との間に４組ずつ移動可能に設けられている。導通板３６は、周方向に導体部が設けられており、後方取付部材２１の前面にビス３７ｂによりビス止めされた摺動部材３７が常時当接して摺動するようになっている（図６（ｂ）参照）。この導通板３６及び摺動部材３７を通じて装飾体２０に設けられる発光基板等（図示せず）と電気的導通がとれるようになっている。導通板３６は後方第２の回転ベース３１とビス３８により一体に組み付けられる（図５参照）。また、図８において、各可動体２５の連結軸２２側の端部には曲線ガイド２９ａに嵌め込まれる嵌合ピン２５ｃと直線ガイド３１ａに嵌め込まれるスライド片２５ｄが各々設けられている（図５参照）。
【００３１】
回転体２４のうち回転ベース２７が回転規制部材３２によって許容される所定方向へ回転すると可動体２５が装飾体２０の後方の収納位置（図７，図８参照）から装飾体２０より外径方向に突出する作動位置へ曲線ガイド２９ａと直線ガイド３１ａとが交差する交差点でガイドされながら第１の回転ベース２９と共に回転しつつ第２の回転ベースの直線ガイド３１ａに沿って外周側の作動位置（図１３，図１４参照）へ移動するようになっている。
そして、回転ベース２７が更に同方向へ回転すると作動位置を維持したまま連結軸２２を中心に当該回転ベース２７と一体となって回転するようになっている。
【００３２】
図４において、回転規制部材３２の外周部には切欠部３２ｂが設けられている。また、後方取付部材２１には、ロック部材３９が取付部材４０を介してビス４１により組み付けられている。図９（ｂ）において、ロック部材３９は先端が回転規制部材３２の外周部に向けてばね４２により常時付勢されて組み付けられている。よって、図９（ａ）において、ロック部材３９の先端部３９ａが切欠部３２ｂに嵌まり込んだときに、回転規制部材３２の回転が規制されるようになっている。上記ロック部材３９と切欠部３２ｂは、第１の回転ベース２９が所定方向に回転し、可動体２５が収納位置と作動位置との間を移動する間は、第２の回転ベース３１が連れ回りするのを規制するロック機構を形成する。
【００３３】
また、図９（ａ）において、回転規制部材３２と同心状に組み付けられる伝達歯車２７の後面には、突起部２７ｄが設けられている。図１５（ａ）（ｂ）において、伝達歯車２７が回転して突起部２７ｄがロック部材３９をばね４２の付勢に抗して押し戻すと、回転規制部材３２の回転規制が外れて、第２の回転ベース３１と共に従動回転可能な状態となる。
【００３４】
図１６は、可動演出装置１８の配線構造の一例を示す。前方第２の回転ベース３１の後面に発光基板４３が組み付けられおり、該発光基板４３に対して配線する場合について説明する。後方取付部材２１に設けられた配線孔２１ａを通じてパチンコ機側からの配線４４が接続され、後方取付部材２１に設けられた摺動部材３７に設けられたコネクタ３７ａと接続される。摺動部材３７は導通板３６と電気的に接続され、導通板３６から配線４５が回転ベース２７の筒状部２７ａに形成された切欠き部２７ｃを通じて第２の回転ベース３１が設けられた軸部３１ｃと軸受部４６の隙間、軸部３１ｃの外周に設けられた隙間３１ｅ（図７参照）を通じて前方第２の回転ベース３１の前面側に引き出され、当該前方第２の回転ベース３１に形成された貫通孔３１ｄを通じて発光基板４３と接続されている。
【００３５】
ここで、可動演出装置１８の組付け構成の一例について説明する。図４及び図５において、先ず回転体２４を組み立てる。回転ベース２７の円板部２７ｂの前後に第１の回転ベース２９をビス３０により一体に組み付ける。また、前方第１の回転ベース２９と前方第２の回転ベース３１との間に可動体２５を４箇所において嵌合ピン２５ｃを曲線ガイド２９ａと直線ガイド３１ａの交差点に嵌合させ、スライド片２５ｄを直線ガイド３１ａに嵌め込ませて挟み込んで組み付ける。
【００３６】
また、後方第１の回転ベース２９の後面に後方第２の回転ベース３１を重ね合わせ、可動体２５（大径フィン２５ａ，小径フィン２５ｂ）を導通板３６との間に挟み込むように組み付ける。このとき、回転ベース２７の筒状部２７ａが後方第２の回転ベース２９の軸孔２９ｂ及び後方第２の回転ベース３１の軸孔３１ｂ及び導通板３６の軸孔３６ａに各々嵌め込まれて同心状に組み付けられる。また、後方第２の回転ベース３１の軸孔３１ｂの近傍に係止ピン３５を円筒部２７ａの切欠き部２７ｃに進入するように組み付けられる。また、可動体２５は、嵌合ピン２５ｃを曲線ガイド２９ａと直線ガイド３１ａの交差点に嵌合させ、スライド片２５ｄを直線ガイド３１ａに嵌め込ませて組み付けられる。
【００３７】
そして、導通板３６の後面よりビス３８を後方第２の回転ベース３１のボス部３１ｆに設けられたビス孔に嵌め込むことにより、可動体２５が導通板３６と後方第２の回転ベース３１挟み込まれて一体に組み付けられる。また、導通板３６の後面には伝達歯車２６が重ね合わされて、筒状部２７ａの端部に伝達歯車２６の後面よりビス２８により一体に組み付けられる。また、回転規制部材３２の軸部３２ｃを伝達歯車２６の軸孔より嵌め込み、円筒部２７ａの軸孔を挿通して前方第２の回転ベース３１の軸部３１ｃと噛み合わせる。また、回転規制部材３２の軸孔３２ｄに連結軸２２を嵌め込んで回転体２４が一体に組み付けられる。
【００３８】
図４において、回転体２４の前方に延設された連結軸２２の軸端には装飾体２０の軸孔２０ａに嵌め込ませてＥリング１９により抜け止めされて組み付けられる。また、回転規制部材３２より後方に延設された連結軸２２の軸端は、後方取付部材２１の軸孔２１ａに嵌め込ませてＥリング１９により抜け止めされて組み付けられる。後方取付部材２１を組み付ける前に、回転規制部材３２のラチェット歯３２ａにはラチェット歯車３３のラチェット歯３３ａを噛み合うように載置し、後方取付部材２１の前面に設けられるコイルばね３４によりラチェット歯３２ａ，３３ａがかみ合うように付勢される。
【００３９】
また、後方取付部材２１の前面には摺動部材３７やモータ２３が組み付けられ、更にはロック部材３９が取付部材４０を介してビス４１により組み付けられている。後方取付部材２１を連結軸２２に組み付けると、図６（ａ）に示すようにモータ歯車２３ｂは伝達歯車２６と噛み合い、図９（ａ）（ｂ）に示すようにロック部材３９の先端部３９ａが回転規制部材３２の外周部に設けられた切欠き部３２ｂに嵌まり込んでロックされる。このとき、図２（ａ）（ｂ）及び図３に示すように可動体２５（大型フィン２５ａ，小型フィン２５ｂ）は、装飾体２０の後面側に隠れた状態で組み付けられている。
【００４０】
次に上述のように構成された可動演出装置１８の演出動作の一例について図１乃至図３、図６乃至図１４を参照して説明する。
【００４１】
図１において、可動演出装置１８は、例えば、図柄表示装置１９の上縁部に設けられたセンター役物１１の一部に設けられている。このとき、可動体２５（大型フィン２５ａ，小型フィン２５ｂ）は、装飾体２０の後面側に隠れた収納位置にある（図２（ａ）（ｂ），図３参照）。また、図８に示すように、係止ピン３５は筒状部２７ａの切欠き部２７ｃに進入した状態にあり、図９（ａ）に示すように回転規制部材３２にはロック部材３９にロックされた状態にある。可動演出装置１８においては、どの位置でも可動体２５の移動ができるわけでなく、モータ２３の電気的制御に依存し、予め後方第２の回転ベース３１が初期位置（図９（ａ）；伝達歯車２６がロック機構にロックされている位置）で位置決めされている必要がある。
【００４２】
例えば、図１において図柄表示装置８の画面でリーチが発生したり、大当たりが発生したりした場合などに、図示しない制御部がモータ２３を起動させる。
図６（ａ）において、モータ２３が所定方向（例えば図２（ａ）の正面視で時計回り方向）に所定量回転すると、伝達歯車２６が正面視で反時計回り方向へ回転する。このとき、図１３及び図１４に示すように、伝達歯車２６と一体に組み付けられた回転ベース２７が同方向に回転する。このとき、可動体２５は、嵌合ピン２５ｃを曲線ガイド２９ａ及び直線ガイド３１ａの交差部及びスライド片２５ｄが直線ガイド３１ａに連繋したまま径方向中心部から径方向外周側へ移動して装飾体２０の外側に突出した作動位置へ移動する（図１０（ａ）（ｂ）、図１１参照）。
【００４３】
図１５（ａ）（ｂ）において、伝達歯車２６が、後面視で時計回り方向（正面視で反時計回り方向）に回転して突起部２７ｄがロック部材３９の位置を通過する際に、当該ロック部材３９を回転規制部材３２の切欠き部３２ｂより後退させてロック状態が解除される。これにより回転規制部材３２が前後の第２の回転ベース３１とともに回転可能になる。尚、このとき回転規制部材３２のラチェット歯３２ａとラチェット歯車３３のラチェット歯３３ａとの噛み合いは回転を許容する方向となっているものとする。
【００４４】
図１２（ａ）において、モータ２３が更に所定方向（例えば正面視で時計回り方向）に回転し続けると、伝達歯車２６と一体に組み付けられた回転ベース２７も正面視で反時計回り方向に回転する。そして、図１４において、円筒部２７ａの切欠き部２７ｃの端部に係止ピン３５が突き当たると、後方第２の回転ベース３１が一体となって同方向に回転する。このとき、可動体２５は作動位置を維持したまま、第２の回転ベース３１と回転規制部材３２が、回転ベース２７の回転に伴って連れ回りする。これにより、装飾体２０の意匠面の表示面積を拡大表示したまま動きの変化を伴った意外性のある演出を行うことができる。
【００４５】
図１５（ａ）の位置から伝達歯車２６が一回転すると、図９（ａ）に示すようにロック部材３９が回転規制部材３２の切欠き部３２ｂに嵌まり込んでそれ以上の回転が規制される。ここでモータ２３の駆動を一旦停止させ、次いで逆回転方向（図１２（ａ）；正面視で反時計回り方向）に駆動する。このとき、伝達歯車２６及び回転ベース２７は正面視で時計回り方向に回転する。しかしながら、図１４において係止ピン３５は円筒部２７ａの切欠き部２７ｃより離間するため、回転ベース２７より第２の回転ベース３１及び回転規制部材３２には駆動伝達が行われない。
【００４６】
また、回転ベース２７が正面視で時計回り方向に回転するので、可動体２５は、嵌合ピン２５ｃを曲線ガイド２９ａ及び直線ガイド３１ａの交差部及びスライド片２５ｄが直線ガイド３１ａに連繋したまま径方向外側から径方向中心部へ移動して装飾体２０の後方に隠れた収納位置へ移動する（図２（ａ）（ｂ）参照）。
そして、図８において、円筒部２７ａの切欠き部２７ｃの反対側端部が係止ピン３５に突き当たると、回転ベース２７の更なる回転が規制されるため、モータ２３の駆動を停止する。また、回転規制部材３２のラチェット歯３２ａとラチェット歯車３３のラチェット歯３３ａは回転を許容しない方向の噛み合いとなるため第２回転ベース３１の回転は規制される。
【００４７】
このように、第１の回転ベース２９の回転方向に応じて可動体２５が移動する間は、第２の回転ベース３１や回転規制部材３２が連れ回りすることなく、第１の回転ベース２９と可動体２５、第２の回転ベース３１の動作切り替えが確実に素早く行なえる。
【００４８】
以上説明したように、モータ２３の回転方向に応じて可動体２５が装飾体２０の後方に収納された収納位置（図２（ａ）参照）と当該装飾体２０の外周より外側へ移動して装飾体２０の意匠面を拡大表示する作動位置（図１０（ａ）参照）との間を移動可能に回転体２４に組み付けられているので、装飾体２０の意匠面の表示面積を減らすことなくコンパクトに設置でき、しかも回転体２４が、可動体２５を収納位置から作動位置へ移動する所定回転方向へ回転すると、当該可動体２５は収納位置から作動位置へ移動し、更に回転体２４が回転すると作動位置を維持したまま一体となって回転するので、装飾体２０の意匠面の表示面積を拡大表示したまま動きを伴った遊技者の興趣が尽きない意外性のある演出を行うことができる。
【００４９】
次に、回転体２４の他例について、図１７乃至図２１を参照して説明する。
図１９及び図２０において、外径の異なるリング状（相似形状）の可動体４８，４９，５０には径方向中心に向って放射状のガイド溝４８ａ，４９ａ，５０ａが各々形成されている。また、これらの可動体４８，４９，５０の前方及び後方には放射の直線ガイド５１ａが設けられた前方第２の回転ベース５１Ａ及び後方第２の回転ベース５１Ｂが各々設けられている。
【００５０】
図２０において、可動体４８，４９，５０を重ねわせて、前方第２の回転ベース５１Ａの後面中心部に突設された筒状部５１ｂを後方第２の回転ベース２１の軸孔５１ｃと位置合わせし、前方第２の回転ベース５１Ａの後面側に突設されたボス５１ｄを後方第２の回転ベース５１Ｂのビス孔５１ｅに位置合わせして、後方第２の回転ベース５１Ｂの後方からビス５１ｆによりビス止めすることにより、可動体４８，４９，５０が前方第２の回転ベースＡ及び後方第２の回転ベース５１Ｂ間に挟み込まれて一体に組み付けられる。前方第２の回転ベース５１Ａ及び後方第２の回転ベース５１Ｂは、図示しない回転規制部材により一方向のみ回転が許容され、反対方向の回転が規制される。
【００５１】
更に前方第２の回転ベース５１Ａ及び後方第２の回転ベース５１Ｂの前方及び後方には曲線ガイド５２ａが放射状に設けられた前方第１の回転ベース５２Ａ及び後方第１の回転ベース５２Ｂが各々重ね合わせて設けられる。前方第１の回転ベース５２Ａの後面中心部には筒状部５２ｂが設けられており（図２０参照）、後方第１の回転ベース５２Ｂの前面中心部には筒状部５２ｃが設けられている（図１９参照）。
【００５２】
前方第１の回転ベース５２Ａは筒状部５２ｂが前方第２の回転ベース５１Ａの筒状部５１ｂの中心孔へ同心状に嵌め込まれ、後方第１の回転ベース５２Ｂは筒状部５２ｃが後方第２の回転ベース５１Ｂの軸孔５１ｃを通じて前方第２の回転ベース５１Ａの筒状部５１ｂの中心孔へ同心状に嵌め込まれて、筒状部５２ｂと筒状部５２ｃの端面に形成された凹凸部が嵌合して一体に組み付けられる。（図２１（ａ）参照）。この前方第１の回転ベース５２Ａ及び後方第１の回転ベース５２Ｂには、図示しない駆動源からの駆動が伝達されて回転駆動される。
【００５３】
前方第１の回転ベース５２Ａの前方からガイドピン５３を曲線ガイド５２ａ、直線ガイド５１ａ、ガイド溝４８ａ，４９ａ，５０ａ、直線ガイド５１ａ、曲線ガイド５２ａを挿通して後方にＥリング５４を嵌め込むことで抜け止めされて一体に組み付けられる。ガイドピン５３は、最大径を有する可動体５０のガイド溝５０ａの内径側溝孔５０ｂ（係止部；図２０参照）と係止した状態でガイド溝４８ａ，４９ａ，５０ａを貫いて嵌め込まれる。ガイドピン５３が移動すると、先ず可動体５０が一体となって移動し、該可動体５０の移動にともなって可動体４９，４８も順次連れ動くようになっている（図２１（ｂ）〜（ｄ）参照）。
【００５４】
図２１（ａ）において、駆動源を起動する前は、可動体４８，４９，５０が重なり合って装飾体２０の後方に隠れた収納位置に収納されている（図１７（ａ）（ｂ）参照）。図示しない駆動源を所定方向に回転駆動させると前方第１の回転ベース５２Ａ及び後方第１の回転ベース５２Ｂが回転する。このとき、前方第２の回転ベース５１Ａ及び後方第２の回転ベース５１Ｂのロック状態は解除され回転可能な状態となる点は前記実施態様と同様である。また、ガイド溝５０ａ，４９ａ，４８ａは互いに重なり合っており筒状部５２ｂ，５２ｃ側で連通した状態にある。また、ガイド溝５０ａ内には、ガイドピン５３が移動した際に、当該ガイドピン５３と係止する可動体４９の係止部４９ｂが挿入されている。また、ガイド溝４９ａ内には、ガイドピン５３が移動した際に、可動体４９の係止部４９ｂと係止する可動体４８の係止部４８ｂが挿入されている。
【００５５】
前方第１の回転ベース５２Ａ及び後方第１の回転ベース５２Ｂが回転すると、ガイドピン５３が曲線ガイド５２ａ、直線ガイド５１ａ、ガイド溝４８ａ，４９ａ，５０ａを各々貫いたまま前方第１の回転ベース５２Ａ及び後方第１の回転ベース５２Ｂの径方向中心部から径方向外側に移動する。
このとき、先ずガイドピン５３と連繋する可動体５０が径方向外側へスライドし、径方向の溝長さが異なるガイド溝５０ａ内に挿入された係止部４９ｂにガイドピン５３が係止すると、可動体４９が径方向外側にスライドする（図２１（ｂ）参照）。ガイドピン５３の更なる移動により係止部４９ｂがガイド溝４９ａ内に挿入された係止部４８ｂと係止すると、可動体４８が径方向外側にスライドする（図２１（ｃ）参照）。ガイドピン５３が曲線ガイド５２ａと直線ガイド５１ａとの交差部を外周側の移動端まで移動し、可動体５０，４９，４８が径方向外側に移動した状態を図２１（ｄ）に示す。このとき、可動体４８，４９，５０は装飾体２０の外周より外側へ同心円状に移動して意匠面の表示面積を拡大することができる（図１８（ａ）（ｂ）参照）。
【００５６】
また、駆動源をさらに同方向へ駆動すると、筒状部５２ｂに設けられる切欠き部（図示せず）と第２の回転ベース５１に設けられる係止ピン３５（図示せず）が係止して、可動体４８，４９，５０が作動位置を維持したまま、前方第１の回転ベース５２Ａ、後方第１の回転ベース５２Ｂと前方第２の回転ベース５１Ａ、後方第２の回転ベース５１Ｂが一体となって回転する点は前記実施例と同様である。
【００５７】
また、駆動源を逆方向に回転駆動すると、前方第２の回転ベース５１Ａ及び後方第２の回転ベース５１Ｂの回転は規制されたまま、前方第１の回転ベース５２Ａ及び後方第１の回転ベース５２Ｂの逆回転によりガイドピン５３が曲線ガイド５２ａ、直線ガイド５１ａ、ガイド溝４８ａ，４９ａ，５０ａを各々貫いたまま前方第１の回転ベース５２Ａ及び後方第１の回転ベース５２Ｂの径方向外側から径方向中心部へ移動する。このとき、先ずガイドピン５３と溝孔５０ｂで係止する可動体５０が径方向中心部へ向けて移動する（図２１（ｃ）参照）。ガイドピン５３の移動に伴いガイド溝４９ａの溝端４９ｃと係止すると可動体４９が径方向内側へ連れ動き（図２１（ｂ）参照）、ガイドピン５３がガイド溝４８の溝端４８ｃと係止すると可動体４８が径方向内側へ連れ動いて、全ての可動体５０，４９，４８が径方向中心部へ移動した状態を図２１（ａ）に示す。このとき、可動体４８，４９，５０は装飾体２０の外周より背面側に隠れた収納位置へ移動して意匠面の表示面積を縮小することができる（図１７（ａ）（ｂ）参照）。
【００５８】
上記構成によれば、互いに重なり合う可動体４８，４９，５０が径方向に同心円状に移動する動作が可能となるため、装飾面積を大幅に拡大縮小させて変化に富んだ演出を行うことができる。
【００５９】
上記実施形態は、可動演出装置１９が図１に示すパチンコ機１のセンター役物１１に組み付けられたか可動アーム１７に設けられた場合について説明したが、機構ベースは固定されていてもよい。
【００６０】
また、遊技機の一例としてパチンコ遊技機について説明したが、他に例えばアレンジボール遊技機、パチスロ遊技機、雀球遊技機等の他の遊技機に設けられる演出装置に適用することも可能である。
【符号の説明】
【００６１】
１  パチンコ機
２  外枠  
３  遊技盤  
４ａ，４ｂ  ヒンジ  
５  前面枠  
６  窓部  
７  スピーカー  
８  球受け皿  
９  発射ハンドル  
１０  図柄表示装置（液晶表示装置）  
１１  センター役物  
１２  スルーチャッカー  
１３  風車  
１４ａ  電動チューリップ  
１４ｂ  アタッカー  
１５  遊技盤レール  
１６  サイドランプ  
１７  可動アーム
１８  可動演出装置  
１９，５４  Ｅリング  
２０  装飾体  
２０ａ，２１ａ，３１ｂ，３６ａ，５１ｃ  軸孔  
２１  後方取付部材  
２２  連結軸  
２３  モータ  
２３ａ  モータ軸  
２３ｂ  モータ歯車  
２３ｃ，２８，３０，３７ｂ，３８，４１，５１ｆ  ビス  
２４  回転体  
２５，４８，４９，５０  可動体  
２５ａ  大径フィン  
２５ｂ  小径フィン  
２５ｃ  嵌合ピン  
２５ｄ  スライド片  
２６  伝達歯車  
２７  回転ベース  
２７ａ，５１ｂ，５２ｂ，５２ｃ  筒状部  
２７ｂ  円板部  
２７ｃ  切欠き部  
２７ｄ  突起部  
２９  第１の回転ベース  
２９ａ，５２ａ  曲線ガイド  
３１  第２の回転ベース  
３１ａ，５１ａ  直線ガイド  
３１ｃ，３２ｃ  軸部  
３１ｄ  貫通孔  
３１ｅ  隙間  
３２  回転規制部材  
３２ａ，３３ａ  ラチェット歯  
３２ｂ  切欠き部  
３３  ラチェット歯車  
３４  コイルばね  
３５  係止ピン  
３６  導通板  
３７  摺動部材  
３７ａ  コネクタ  
３９  ロック部材  
３９ａ  先端部  
４０  取付部材  
４２  ばね  
４３  発光基板  
４４，４５  配線  
４６  軸受部  
４７  軸保持部  
４７ａ  隙間  
４８ａ，４９ａ，５０ａ  ガイド溝  
４８ｂ，４９ｂ  係止部
４８ｃ，４９ｃ  溝端
５０ｂ  溝孔
５１Ａ  前方第２の回転ベース
５１Ｂ  後方第２の回転ベース
５１ｄ  ボス部  
５１ｅ  ビス孔
５２Ａ  前方第１の回転ベース
５２Ｂ  後方第１の回転ベース
５３  ガイドピン
【図１】
0005384299.tif 000002
【図２】
0005384299.tif 000003
【図３】
0005384299.tif 000004
【図４】
0005384299.tif 000005
【図５】
0005384299.tif 000006
【図６】
0005384299.tif 000007
【図７】
0005384299.tif 000008
【図８】
0005384299.tif 000009
【図９】
0005384299.tif 000010
【図１０】
0005384299.tif 000011
【図１１】
0005384299.tif 000012
【図１２】
0005384299.tif 000013
【図１３】
0005384299.tif 000014
【図１４】
0005384299.tif 000015
【図１５】
0005384299.tif 000016
【図１６】
0005384299.tif 000017
【図１７】
0005384299.tif 000018
【図１８】
0005384299.tif 000019
【図１９】
0005384299.tif 000020
【図２０】
0005384299.tif 000021
【図２１】
0005384299.tif 000022